(57)【要約】【課題】回転体とその回転体に関連する電装部品とを有する遊技機において、回転体の回転による影響を受け難いように電装部品の配線を行う。【解決手段】ドラム４２と一体的に回転する電装部品である入賞部５０および抽選結果表示部５２と、そのドラム４２の外部に位置してそのドラム４２と一体的に回転しない接続相手部品である中継基板７２とを電気的接続線１６０，１６２，１６４，１６６によって互いに電気的に接続する場合に、それらの電気的接続線１６０，１６２，１６４，１６６がドラム４２からそのドラム４２の外部に向かって引き出される位置を、ドラム４２の回転軸線と略一致する位置に設定する。【選択図】図４
2006068344.tif 000002
【特許請求の範囲】
【請求項１】
遊技者が遊技を行うための遊技機に使用される遊技機用回転装置であって、
回転軸線まわりに回転可能な回転体と、
その回転体と一体的に回転する電装部品と、
その電装部品と、前記回転体の外部に位置してその回転体と一体的に回転しない接続相手部品とを互いに電気的に接続する電気的接続線が前記回転体から引き出される位置を、前記回転軸線と略一致する位置に規定する引出位置規定部と
を含む遊技機用回転装置。
【請求項２】
前記回転体は、１回転以上回転しない請求項１に記載の遊技機用回転装置。
【請求項３】
前記回転体は、遊技球の入賞を可能とする入賞部と、特別入賞に該当するか否かの抽選結果を表示する抽選結果表示部とのうちの少なくとも一方が少なくとも２個、前記回転軸線まわりに並んで配置されるように構成される請求項１または２に記載の遊技機用回転装置。
【発明の詳細な説明】
【技術分野】
【０００１】
本発明は、パチンコ機、スロットマシン等、回転体とその回転体に関連する電装部品とを有する遊技機のための遊技機用回転装置に関するものであり、特に、その電装部品を配線する技術の改良に関するものである。
【背景技術】
【０００２】
遊技者が遊技を行うための遊技機として、回転軸線まわりに回転する回転体を有する形式の遊技機が存在する。この形式の遊技機においては、その回転体を電気的に作動させたり電気的に装飾したりするために、電装部品がその回転体に関連付けて設置される場合がある。
【０００３】
この場合、その電装部品は、回転体の外部に位置する接続相手部品と電気的に接続され、通常、それら電装部品と接続相手部品とは無線方式ではなく、電気的接続線（ワイヤ、ケーブル、ハーネス等）を用いて有線方式で互いに接続される。
【０００４】
回転体を電気的に装飾するためにその回転体に関連付けて電装部品としての照明具が設置された遊技機の一従来例が特許文献１に開示されている。この従来例はパチンコ機に関するものである。
【０００５】
この従来例においては、回転体として、表面に図柄が表示された回転ドラムであって透光性材料によって発色する装飾部を有するものが使用される。さらに、電装部品として、回転ドラムをそれの内側から照明するドラムランプが使用される。ドラムランプが点灯されると、ドラムランプから発せられた光が回転ドラムの装飾部を透過して発色し、それにより、回転ドラムのうちパチンコ機の前面に露出している部分が電気的に装飾される。
【０００６】
この従来例においては、ドラムランプが、回転ドラムでもそれと共に回転する部分にでもなく、回転ドラムと共に回転しない部分に設置されている。このドラムランプは、電気的接続線であるランプ配線を介して接続相手部品に接続され、それらドラムランプと接続相手部品とはいずれも、回転ドラムと共に回転しない。
【０００７】
したがって、この従来例においては、回転ドラムの回転がドラムランプに影響を及ぼさずに済み、回転ドラムが回転しても、ランプ配線が過度にねじれたり曲がったりしないため、ドラムランプは、回転する回転ドラムを電気的に装飾することを確実に行い得る。
【特許文献１】特開平５−８４３４９号公報
【発明の開示】
【発明が解決しようとする課題】
【０００８】
本発明者は、回転体と電装部品とを有する遊技機の品質や性能を機能的な観点や意匠的な観点から向上させることについて研究を行った。その結果、本発明者は電装部品を回転体に設置することにより、電装部品と回転体とを互いに一体的に回転させることを提案した。
【０００９】
この提案を実現するためには、回転体と一体的に回転する電装部品とその接続相手部品、すなわち、当該遊技機のうち回転体と共に回転しない部分に配置される別の電装部品とを互いに電気的に接続することが必要である。その接続手法として、それら電装部品と接続相手部品とを電気的接続線によって互いに接続する手法が一般的である。
【００１０】
しかしながら、回転する電装部品と、回転しない接続相手部品とを、特別な工夫を施すことなく、電気的接続線によって互いに接続したのでは、回転体の回転中、その電気的接続線に負荷が予定外に発生してしまう可能性がある。
【００１１】
以上説明した事情を背景として、本発明は、回転体とその回転体に関連する電装部品とを有する遊技機用回転装置において、回転体の回転による影響を受け難いように電装部品の配線を行うことを課題としてなされたものである。
【課題を解決するための手段】
【００１２】
本発明によって下記の各態様が得られる。各態様は、項に区分し、各項には番号を付し、必要に応じて他の項の番号を引用する形式で記載する。これは、本発明が採用し得る技術的特徴の一部およびそれの組合せの理解を容易にするためであり、本発明が採用し得る技術的特徴およびそれの組合せが以下の態様に限定されると解釈すべきではない。すなわち、下記の態様には記載されていないが本明細書には記載されている技術的特徴を本発明の技術的特徴として適宜抽出して採用することは妨げられないと解釈すべきなのである。
【００１３】
さらに、各項を他の項の番号を引用する形式で記載することが必ずしも、各項に記載の技術的特徴を他の項に記載の技術的特徴から分離させて独立させることを妨げることを意味するわけではなく、各項に記載の技術的特徴をその性質に応じて適宜独立させることが可能であると解釈すべきである。
【００１４】
（１）  遊技者が遊技を行うための遊技機に使用される遊技機用回転装置であって、
回転軸線まわりに回転可能な回転体と、
その回転体と一体的に回転する電装部品と、
その電装部品と、前記回転体の外部に位置してその回転体と一体的に回転しない接続相手部品とを互いに電気的に接続する電気的接続線が前記回転体から引き出される位置を、前記回転軸線と略一致する位置に規定する引出位置規定部と
を含む遊技機用回転装置。
【００１５】
この遊技機用回転装置においては、回転体に関連する電装部品として、回転体と一体的に回転する電装部品が使用される。したがって、この遊技機用回転装置によれば、回転体に関連する電装部品を回転体と一体的に回転させ得ない場合に比較し、遊技機の品質や性能を機能的な観点や意匠的な観点から向上させることが容易になる。
【００１６】
さらに、この遊技機用回転装置においては、回転体と一体的に回転する電装部品と、その回転体の外部に位置してその回転体と一体的に回転しない接続相手部品とが電気的接続線によって互いに電気的に接続される。その電気的接続線は、回転体から、それの回転軸線と略一致する位置から回転体の外部に向かって引き出される。
【００１７】
ところで、回転体と一体的に回転する電装部品と、その回転体と一体的に回転しない接続相手部とが電気的接続線によって互いに電気的に接続される場合には、その電気的接続線の、回転体からの引出し位置（以下、単に「電気的接続線の引出し位置」という。）がその回転体の回転軸線から半径方向に外れる距離が長いほど、回転体の回転による影響が電気的接続線に及び易い。
【００１８】
具体的に説明するに、電気的接続線の引出し位置が回転体の回転軸線から半径方向に外れていると、回転体の回転に伴い、電気的接続線の引出し位置が変位し、その結果、その引出し位置と前述の接続相手部品との間の相対位置関係が変化してしまう。
【００１９】
この相対位置関係の変化は、それら引出し位置と接続相手部品との間の距離の変化として現れる可能性もあれば、電気的接続線が引出し位置および接続相手部品との接続位置の各位置において延びる方向の変化として現れる可能性もある。上述の距離の変化は、電気的接続線の引張力を増加させる要因となり、また、上述の方向の変化は、電気的接続線の、引出し位置および接続相手部品との接続位置の各位置における曲がりを増加させる要因となる。
【００２０】
また、電気的接続線の引出し位置が回転体の回転軸線から半径方向に外れていると、回転体の回転に伴い、その電気的接続線に遠心力が作用する。一方、回転体の作動モードには種々のものを選択可能であり、起動と停止とを交互に繰り返す作動モードや、常時回転させられるが、回転体の加速と減速とを伴う作動モードがある。
【００２１】
それら作動モードにおいては、回転体の回転に伴って電気的接続線に作用する遠心力が時間的に変動するため、電気的接続線の引出し位置と接続相手部品との間の距離の反復的変化が現れる可能性もあれば、電気的接続線が引出し位置および接続相手部品との接続位置の各位置において延びる方向の反復的変化が現れる可能性もある。それら反復的変化は、電気的接続線の疲労による破損を誘発する要因となり得る。
【００２２】
したがって、回転体と一体的に回転する電装部品と、その回転体と一体的に回転しない接続相手部品とを電気的接続線により、その電気的接続線の引出し位置が回転体の回転軸線から半径方向に外れる姿勢で、互いに電気的に接続する場合には、回転体の作動中における上述の距離の変化および方向の変化を十分に正確に見込んで、その電気的接続線およびその周辺を設計することが、電装部品の配線において信頼性および耐久性を確保するために必要である。
【００２３】
これに対し、本項に係る遊技機用回転装置においては、引出位置規定部により、電装部品と、回転体の外部に位置してその回転体と一体的に回転しない接続相手部品とを互いに電気的に接続する電気的接続線が回転体から引き出される位置が、その回転体の回転軸線と略一致する位置に規定されている。
【００２４】
このように、電気的接続線の引出し位置が回転体の回転軸線と略一致する位置に規定される場合には、回転体の回転中、電気的接続線の引出し位置の変位が抑制され、それにより、電気的接続線の引出し位置と接続相手部品との間の距離の変化が現れる可能性も、電気的接続線が引出し位置および接続相手部品との接続位置の各位置において延びる方向の変化が現れる可能性も軽減される。
【００２５】
したがって、この遊技機用回転装置によれば、電装部品が回転体と一体的に回転するにもかかわらず、その電装部品の配線において信頼性および耐久性を確保するために、この遊技機用回転装置の電装設計を通常以上に慎重に行わずに済む。
【００２６】
本項における「回転体」は、例えば、当該遊技機において機能上または意匠上主要な役割を果たすものとすることが可能であるが、補助的な役割を果たすもの（例えば、当該遊技機の遊技盤上において大きさが比較的小さいもの）とすることも可能である。
【００２７】
また、本項における「回転体」は、その回転中における電気的接続線のねじれ角度の最大値を制限するために、例えば、その回転中、回転方向が正方向と逆方向とに交互に同じ角度で切り換わるように往復回転を行うものとすることが望ましい。
【００２８】
本項における「電装部品」は、例えば、回転体またはそれと共に回転する部材を電気的に作動させることを目的として使用されるものでも、回転体またはそれと共に回転する部材を電気的に装飾することを目的として使用されるものでもよい。
【００２９】
本項における「電気的接続線」は、例えば、ワイヤ、ケーブル、ハーネス、配線パターンが印刷形成されたフィルム基板（フィルム状のケーブル）等、電気的な接続を実現する導線であるが、十分にフレキシブルであることが望ましい。
【００３０】
（２）  前記回転体は、１回転以上回転しない（１）項に記載の遊技機用回転装置。
【００３１】
前記（１）項に係る遊技機用回転装置に従い、電気的接続線の引出し位置を回転体の回転軸線と略一致する位置に規定する場合には、前述のように、電気的接続線の引出し位置と接続相手部品との間の距離の変化が現れる可能性も、電気的接続線が引出し位置および接続相手部品との接続位置の各位置において延びる方向の変化が現れる可能性も軽減される。
【００３２】
しかしながら、電気的接続線が電装部品にリジッドに接合される場合には、回転体の回転に伴って電気的接続線がねじれるという現象が発生する。このねじれの程度は、回転体の初期位置からの最大回転角度すなわち最大回転回数が大きいほど、高い。
【００３３】
これに対し、本項に係る遊技機用回転装置によれば、回転体の初期位置からの最大回転角度が１回転を超えないように規制されるため、１回転を超えて回転することが許容される場合に比較し、電気的接続線のねじれの程度が軽減される。その結果、この遊技機用回転装置によれば、電気的接続線のねじれに対する信頼性および耐久性を向上させるための設計を容易に行い得る。
【００３４】
（３）  前記回転体は、遊技球の入賞を可能とする入賞部と、特別入賞に該当するか否かの抽選結果を表示する抽選結果表示部とのうちの少なくとも一方が少なくとも２個、前記回転軸線まわりに並んで配置されるように構成される（１）または（２）項に記載の遊技機用回転装置。
【００３５】
この遊技機用回転装置においては、遊技球の入賞を可能とする入賞部と、特別入賞に該当するか否かの抽選結果を表示する抽選結果表示部とのうちの少なくとも一方が少なくとも２個、回転体に、それの回転軸線まわりに並んで配置される。
【００３６】
したがって、この遊技機用回転装置は、例えば、回転体の停止位置を制御することにより、少なくとも２個の入賞部および／または抽選結果表示部が、それらに共通に遊技盤に設けられた窓部に、選択的に位置決めされて出現する態様で実施することが可能である。
【００３７】
この態様によれば、それら少なくとも２個の入賞部および／または抽選結果表示部に代えて１個の入賞部または抽選結果表示部が使用される場合に比較して、同じ遊技機において遊技者が行い得る遊技内容を多様化することが容易となる。
【００３８】
さらに、この態様によれば、そのような遊技内容の多様化を、それら少なくとも２個の入賞部および／または抽選結果表示を遊技盤に設置するためにその遊技盤の前面上において使用される面積が、それら少なくとも２個の入賞部および／または抽選結果表示が遊技盤の前面上において並んで配置される場合より少なくて済む。
【００３９】
本項における「遊技球の入賞を可能とする入賞部と、特別入賞に該当するか否かの抽選結果を表示する抽選結果表示部とのうちの少なくとも一方が少なくとも２個、前記回転軸線まわりに並んで配置される」という表現は、（ａ）少なくとも１個の入賞部と、少なくとも１個の抽選結果表示とが回転軸線まわりに並んで配置されることを意味する場合と、（ｂ）少なくとも２個の入賞部が回転軸線まわりに並んで配置されることを意味する場合と、（ｃ）少なくとも２個の抽選結果表示部が回転軸線まわりに並んで配置されることを意味する場合とがある。
【発明を実施するための最良の形態】
【００４０】
以下、本発明のさらに具体的な実施の形態の一つを図面に基づいて詳細に説明する。
【００４１】
図１には、本発明の一実施形態に従うパチンコ機のうちの遊技盤１０が正面図で示されている。そのパチンコ機は、遊技者が遊技盤１０上において遊技球を用いて遊技を行うための機械である。そのため、遊技盤１０には、入賞口、飾り部材、可変表示器、風車、図示しない釘等が設けられた遊技領域１２と、図示しない発射装置から遊技者の操作に応じて発射された遊技球を遊技領域１２に向かって案内する案内レール１４とが設けられている。
【００４２】
図１に示すように、遊技領域１２には役物装置２０が設置されている。この役物装置２０は、飾り部材２２を遊技盤１０の略中央において備えている。その飾り部材２２は、図２に分解斜視図で示すように、略矩形状を成す枠部２４を遊技盤１０の前面から隆起した状態で備えている。その枠部２４の中央に、遊技盤１０を厚さ方向に貫通する開口部２６が形成されている。本実施形態においては、それら枠部２４と開口部２６とが互いに共同して窓部２８を形成している。
【００４３】
図２に示すように、役物装置２０は、遊技盤１０の背面に装着されたドラムユニット４０を備えている。そのドラムユニット４０は、遊技盤１０の幅方向に平行な一回転軸線まわりに回転可能なドラム４２を備えている。ドラム４２は、静止部材および非回転部材であるドラムフレーム４４に回転可能に支持されている。ドラム４２は、ドラムフレーム４４により、そのドラム４２の両側部と下部とにおいて外側から包囲されている。
【００４４】
このドラム４２には、遊技球の入賞を可能とする入賞部５０と、抽選結果を表示する抽選結果表示部５２とがドラム４２の回転軸線まわりに並んで設置されている。入賞部５０は、後に詳述するように、特別入賞部としてのアタッカ５４を主体として構成され、一方、抽選結果表示部５２は、後に詳述するように、可変表示器としてのＬＣＤパネル５６を用いることにより、抽選結果を液晶表示するように構成されている。
【００４５】
図３に示すように、ドラム４２は、窓部２８の背後に配置されている。ドラム４２と一体的に回転する入賞部５０と抽選結果表示部５２とのうち遊技者の視認対象として選択されたものが窓部２８に位置決めされて出現するように、ドラム４２の回転および停止が制御される。そして、図１には、抽選結果表示部５２が視認対象として選択されて窓部２８に位置決めされたために抽選結果表示部５２が窓部２８を通して見える状態で遊技盤１０が示されている。これに対し、図２および図３にはいずれも、入賞部５０が視認対象として選択されて窓部２８に位置決めされたために入賞部５０が窓部２８を通して見える状態で遊技盤１０が示されている。
【００４６】
図２に示すように、ドラムユニット４０は、それの前面において窓部２８から局部的に露出する姿勢で遊技盤１０に装着されており、ユニット本体６０と、そのユニット本体６０を収容するユニットカバー６２とを備えている。ドラムユニット４０は、ユニット本体６０にユニットカバー６２が予め組み付けられて構成され、そのユニットカバー６２の取付部６３において、遊技盤１０の背面に取り付けられたユニット固定用プレート６４に取り付けられる。
【００４７】
図２に示すように、ユニットカバー６２には、ユニットカバー中継基板７２が固定的に設けられており、ドラムユニット４０への電力の供給は、このユニットカバー中継基板７２を介して行われる。
【００４８】
ドラム４２は、図示しない駆動装置によって駆動される。その駆動装置は、モータを主体として構成され、かつ、ドラム４２を規定角度だけ回転させて目標の回転位置に停止させるように設計されている。ただし、この駆動装置は、ドラム４２をそれの初期位置から１回転（３６０度）を超えて回転させることがないように設計されている。図示しない位置センサにより、ドラム４２が目標の回転位置に位置していることが検出されれば、位置決め装置６６により、その検出された回転位置にドラム４２が機械的にロックされる。ドラム４２のロックは、例えば、ドラム４２の回転軸線に平行な方向に移動可能なピンを、ドラム４２に予め形成された穴６８に挿入することによって行われる。
【００４９】
それら位置センサおよび位置決め装置６６は、前述の駆動装置と共に、静止部材としてのドラムフレーム４４に取り付けられている。それら位置センサ、位置決め装置６６および駆動装置は、通常のケーブル（図示しない）を介して、ユニットカバー６２に装着されたユニットカバー中継基板７２に電気的に接続される。
【００５０】
図１に示すように、抽選結果表示部５２は、複数個の図柄を可変に表示し、それら図柄の組合せによって抽選を電気的に行うように設計されている。さらに、抽選結果表示部５２は、前述のように、可変表示器としてのＬＣＤパネル５６を用いることにより、抽選結果を液晶表示するようにも設計されている。ＬＣＤパネル５６は、図３に示すように、ドラム４２に支持されている。
【００５１】
この抽選結果表示部５２においては、よく知られているように、抽選中に各図柄があたかも、異なる複数の図柄が一列に並んで外周面に不動表示される物理的なリールの回転に伴って変化するように、変動的に表示される。以下、このことに着目し、説明の便宜上、抽選中に各図柄が変動的に表示されることを「図柄が回転する」といい、また、抽選が終了したために各図柄の内容が確定した場合には、その図柄を「確定図柄」という。
【００５２】
ＬＣＤパネル５６は、ユニットカバー６２の背面に装着された図柄表示制御基板（図示しない）によって制御される。その図柄表示制御基板は、図示しないコンピュータを主体として構成される。この図柄表示制御基板は、通常のケーブルを介してユニットカバー中継基板７２に電気的に接続される。ＬＣＤパネル５６とユニットカバー中継基板７２との間の電気的接続については、後に詳しく説明する。
【００５３】
図２に示すように、入賞部５０は、ベース板８０と、遊技球が入賞するアタッカ５４と、アウト口８２とを備えている。ベース板８０は、ドラム４２と一体的に回転する。このベース板８０にアタッカ５４とアウト口８２とが設けられている。
【００５４】
アタッカ５４は、扉８４を備えている。この扉８４は、常には閉じられているが、特別入賞（「大当たり」）に該当すると開かれて遊技球の入賞を可能にする。この扉８４は、制限時間または制限入賞数の範囲内で開かれた状態に維持される。
【００５５】
これに対し、アウト口８２は、入賞部５０内に進入した遊技球がアタッカ５４に入賞せずに落下した場合に、その遊技球をこの入賞部５０から排出するために設けられている。
【００５６】
図３には、この入賞部５０の詳細が側面断面図で示されている。図３に示すように、この入賞部５０においては、ベース板８０が、入賞部５０が窓部２８に出現するようにドラム４２が停止させられた回転位置において、略鉛直方向に延びるように、ドラム４２に装着されている。
【００５７】
図３に示すように、この入賞部５０は、さらに、ベース板８０の前面に隙間を隔てて平行に配置された案内板９０を備えている。案内板９０は、典型的なパチンコ機における前扉部のガラス板と同様な機能を果たし、具体的には、ベース板８０の前面と共同することにより、遊技球がそのベース板８０の前面に沿って移動するように、遊技球の移動可能空間を規制する機能を果たす。この案内板９０も、前扉部のガラス板と同様に、透明体によって構成されている。
【００５８】
図２および図３に示すように、この入賞部５０は、さらに、ドラム４２の両側板１００，１００にそれぞれ形成された２個の投入口１０２，１０２を備えている。それら２個の投入口１０２，１０２は、遊技球が遊技盤１０から移動可能空間内１０４に進入することを可能にするために設けられている。
【００５９】
遊技球が遊技盤１０から各投入口１０２，１０２を経て移動可能空間内１０４に進入することを可能にするためには、飾り部材２２も、各投入口１０２，１０２に対応する位置に開口を有することが必要である。そのため、図１ないし図３に示すように、飾り部材２２に、２個の開口１１０，１１０と、それら２個の開口１１０，１１０にそれぞれ連通した２個の入口通路１１２，１１２と、それら２個の開口１１０，１１０をそれぞれ開閉する２個の開閉ゲート１１４，１１４とが、２個の投入口１０２，１０２にそれぞれ位置的に関連付けて設けられている。各開閉ゲート１１４，１１４は、常には閉じられているが、ドラム４２の回転によって入賞部５０が窓部２８において出現している間、開かれ、それにより、遊技球が各入口通路１１２，１１２を経て移動可能空間内１０４に進入することが許可される。
【００６０】
図３に示すように、この入賞部５０においては、ベース板８０が、それの厚さ方向に貫通する貫通穴１２０，１２２を上下に１個ずつ備え、さらに、このベース板８０の背面に、それら２個の貫通穴１２０，１２２に共通の排出通路１２４が装着されている。上側の貫通穴１２０は、アタッカ５４に入賞した遊技球を排出通路１２４に誘導するために設けられ、一方、下側の貫通穴１２２は、アウト口８２に進入した遊技球を排出通路１２４に誘導するために設けられている。排出通路１２４は、図３に示すように、入賞部５０が窓部２８に出現するようにドラム４２が停止させられた回転位置において、略鉛直方向に延びるように、ドラム４２に装着されている。
【００６１】
図３に示すように、排出通路１２４のうち、貫通穴１２０に連通した上流部には、アタッカ５４に入賞してそこから排出される遊技球をカウントするためのカウンタ１３０が装着されている。このカウンタ１３０は、アウト口８２から排出通路１２４に進入した遊技球はカウントしない。
【００６２】
図３に示すように、その排出通路１２４に進入した遊技球は、アタッカ５４から進入したかアウト口８２から進入したかを問わず、同じ排出通路１２４の出口を経てドラム４２から排出される。ドラム４２から排出された遊技球を回収するために、ドラムユニット４０に回収通路１４０が設けられている。この回収通路１４０の入口は、入賞部５０が窓部２８に出現するようにドラム４２が停止させられた回転位置においてのみ、排出通路１２４の出口に連通させられる。その回収通路１４０の入口は、その回転位置以外の回転位置においては、ドラム４２の円周外壁およびＬＣＤパネル５６によって閉塞される。
【００６３】
入賞部５０（カウンタを含む。）は、制御基板（図示しない）によって制御される。その制御基板は、図示しないコンピュータを主体として構成される。この制御基板は、通常のケーブルを介してユニットカバー中継基板７２に電気的に接続される。入賞部５０とユニットカバー中継基板７２との間の電気的接続については、後に詳しく説明する。
【００６４】
図１に示すように、遊技盤１０上には、さらに、始動入賞口１５０が飾り部材２２の下方において設けられている。遊技盤１０上には、さらに、始動入賞口１５０の下方において、アタッカ１５２が設けられている。このアタッカ１５２は、遊技盤１０上に常時出現する。
【００６５】
このパチンコ機においては、通常は、窓部２８に抽選結果表示部５２が出現している。この通常状態において、始動入賞口１５０に遊技球が入賞すると、抽選結果表示部５２による抽選が開始される。その抽選結果が「小当たり」に該当する場合には、そのことを表す確定図柄が抽選結果表示部５２に表示され、その後、アタッカ１５２が、規定入賞数の遊技球がアタッカ１５２に入賞するまで、開放される。
【００６６】
これに対し、抽選結果表示部５２による抽選結果が「大当たり」に該当する場合には、そのことを表す確定図柄が抽選結果表示部５２に表示され、その後、ドラム４２の、１回転を超えない正回転により、入賞部５０が窓部２８に出現する。それに伴い、各開閉ゲート１１４，１１４が開かれ、入賞部５０内への遊技球の進入が可能になる。入賞部５０内に進入した遊技球がその入賞部５０内のアタッカ５４に入賞すると、その入賞数がカウンタ１３０によってカウントされ、そのカウント値に応じた数の遊技球が賞球として、図示しない払出し装置によって払い出される。
【００６７】
その後、アタッカ５４への遊技球の入賞数が規定入賞数に到達すると、アタッカ５４が一度閉じられた後、再度開放し、再び規定入賞数を入賞させる動作を所定回数繰り返す。その後、アタッカ５４が閉じられ、各開閉ゲート１１４，１１４も閉じられる。それに伴い、ドラム４２の逆回転により、窓部２８に抽選結果表示部５２が出現する。ドラム４２の逆回転により、ドラム４２が初期位置に復元されるのであり、本実施形態においては、最大回転角度が３６０度を超えることなくドラム４２が往復回転させられるようになっているのである。
【００６８】
ここで、図４を参照することにより、ドラム４２と一体的に回転するようにそのドラム４２に設置された複数種類の電装部品１５４，１５６と、ユニットカバー中継基板７２との間の電気的接続を詳しく説明する。
【００６９】
それら複数種類の電装部品１５４，１５６は、入賞部５０と抽選結果表示部５２とに設けられている。具体的には、入賞部５０の電装部品１５４は、例えば、アタッカ５４を電気的に開閉するアタッカ開閉装置（図示しない）、カウンタ１３０、および、ＬＥＤの如き、入賞部５０を照明する照明具（図示しない）を含んでいる。また、抽選結果表示部５２の電装部品１５６は、例えば、ＬＣＤパネル５６を含んでいる。
【００７０】
それら電装部品１５４，１５６の各用途を説明するに、例えば、アタッカ開閉装置は、ドラム４２と共に回転する部品としてのアタッカ５４を電気的に作動させるために設けられている。カウンタ１３０は、そのアタッカ５４への入賞数を電気的に監視するために設けられている。照明具は、ドラム４２と共に回転する部品としての入賞部５０を電気的に装飾するために設けられている。ＬＣＤパネル５６は、ドラム４２と共に回転する抽選結果表示部５２を電気的に作動させるために設けられている。
【００７１】
それら電装部品１５４，１５６とユニットカバー中継基板７２とを互いに電気的に接続するために、図３に示すように、ドラム４２内部においてそれら電装部品１５４，１５６から延びる複数本の内側電気的接続線１６０，１６２，１６４と、図４に示すように、ドラム４２の外部においてユニットカバー中継基板７２から延びる外側電気的接続線１６６とが使用される。
【００７２】
図３に示すように、内側電気的接続線１６０は、入賞部５０の電装部品１５４から延びており、内側電気的接続線１６２は、抽選結果表示部５２の電装部品１５６から延びている。それらに対し、内側電気的接続線１６４は、図示しないが、上述のアタッカ開閉装置および／または照明具から延びている。
【００７３】
図４に示すように、ドラム４２の両端面１７０，１７０のうちの一方には、そのドラム４２と同軸の貫通穴１７２が形成されており、この貫通穴１７２は、ドラム中継基板１７４によって閉塞されている。そのドラム中継基板１７４は、ドラム４２と一体的に回転する回転部材であり、これに対し、ユニットカバー中継基板７２は、ドラム４２と一体的に回転しない非回転部材である。
【００７４】
図４に示すように、複数本の内側電気的接続線１６０，１６２，１６４は、対応する電装部品１５４，１５６から延び出た後、ドラム４２の内周壁に沿ってそのドラム４２の回転軸線に略平行に延びている。それら複数本の内側電気的接続線１６０，１６２，１６４は、ドラム４２の内周壁に固定された結束具１８０，１８０（例えば、クリップ）によって結束された後、ドラム中継基板１７４に向かってドラム４２の半径方向内向きに延びている。それら内側電気的接続線１６０，１６２，１６４はやがて、ドラム中継基板１７４の内面に、その内面に対して略直角な姿勢で、コネクタ１８２を用いて接続される。それら内側電気的接続線１６０，１６２，１６４とドラム中継基板１７４との接続位置は、本実施形態においては、ドラム４２の回転軸線から半径方向に少し外れた位置に選定されている。
【００７５】
これに対し、外側電気的接続線１６６は、ドラム４２の回転軸線から半径方向に少し外れた位置に設置されたユニットカバー中継基板７２からドラム４２の回転軸線に向かって延びている。外側電気的接続線１６６は、ユニットカバー６２に固定された結束具１８４（例えば、クリップ）によって結束された後、その回転軸線に沿って延びてドラム中継基板１７４の外面に、その外面に対して略直角な姿勢で、コネクタ１８６を用いて接続される。それら外側電気的接続線１６６とドラム中継基板１７４との接続位置は、ドラム４２の回転軸線と実質的に一致する位置に選定されている。
【００７６】
すなわち、本実施形態においては、ドラム中継基板１７４が、ドラム４２内の電装部品１５４，１５６とユニットカバー中継基板７２との間の電気的接続を中継する機能と共に、外側電気的接続線１６６がドラム４２からその外部に向かって引き出される引出位置を規定する機能を持っているのである。
【００７７】
ドラム中継基板１７４はドラム４２と一体的に回転する。したがって、ドラム４２が回転すれば、内側電気的接続線１６０，１６２，１６４も、ドラム４２および中継基板と一体的に回転するため、ドラム４２の回転に伴う負荷（引張り、たわみ、ねじれ等）が内側電気的接続線１６０，１６２，１６４に生じることはない。
【００７８】
これに対し、外側電気的接続線１６６は、ドラム４２が回転すると、ドラム中継基板１７４の側の第１部分１９０においては、ドラム４２と一体的に回転するのに対し、ユニットカバー中継基板７２の側の第２部分１９２においては、ドラム４２と一体的に回転しない。
【００７９】
しかしながら、前述のように、外側電気的接続線１６６とドラム中継基板１７４との接続位置、すなわち、外側電気的接続線１６６のドラム４２からの引出位置がドラム４２の回転軸線と略一致させられているため、ドラム４２が回転しても、この外側電気的接続線１６６においては、ドラム４２の回転に伴う相対変位が上述の第１部分１９０と第２部分１９２との間に発生せずに済む。
【００８０】
したがって、本実施形態によれば、外側電気的接続線１６６がそれの両端部１９０，１９２において回転部材と非回転部材とにそれぞれ連結されるにもかかわらず、ドラム４２の回転中に、外側電気的接続線１６６に引張りおよびたわみが発生せずに済む。
【００８１】
しかしながら、ドラム４２が回転すると、外側電気的接続線１６６においては、内側電気的接続線１６０，１６２，１６４とは異なり、ドラム中継基板１７４の側の第１部分１９０においては、ドラム４２と一体的に回転するのに対し、ユニットカバー中継基板７２の側の第２部分１９２においては、ドラム４２と一体的に回転しないため、ねじれが発生する。これに対し、本実施形態においては、前述のように、外側電気的接続線１６６が、内側電気的接続線１６０，１６２，１６４と同様に、可撓性を有するように構成されるうえに、ドラム４２の初期位置からの最大回転角度が３６０度を超えることがないようにドラム４２が往復回転させられる。
【００８２】
したがって、本実施形態によれば、ねじれに対する外側電気的接続線１６６の耐久性を確保することが容易である。
【００８３】
なお付言するに、図２に示すように、本実施形態においては、ユニットカバー６２の一側面に、そのユニットカバー６２の前面において開口する切欠２００が形成されている。この切欠２００は、それの先端部において局部的にフランジを有している。この切欠２００は、ユニット本体６０から外側電気的接続線１６６が延び出たまま、ユニット本体６０をユニットカバー６２内に挿入して組み付けることを可能にし、それにより、組付け作業性を向上させるために設けられている。
【００８４】
以上の説明から明らかなように、本実施形態においては、ドラム４２が前記（１）項における「回転体」の一例を構成し、入賞部５０と抽選結果表示部５２とがそれぞれ同項における「電装部品」の一例を構成し、ドラム中継基板１７４とコネクタ１８６とが互いに共同して同項における「引出位置規定部」の一例を構成し、ユニットカバー中継基板７２が同項における「接続相手部品」の一例を構成し、内側電気的接続線１６０，１６２，１６４と外側電気的接続線１６６とが互いに共同して同項における「電気的接続線」の一例を構成しているのである。
【００８５】
なお付言するに、本実施形態においては、ドラム４２内の電装部品とユニットカバー中継基板７２とを互いに電気的に接続する各電気的接続線１６０，１６２，１６４，１６６が、ドラム４２と一体的に回転するドラム中継基板１７４により、内側部分と外側部分とに分割されている。これに対し、そのようなドラム中継基板１７４を使用することなく、連続した各電気的接続線によってそれら電装部品とユニットカバー中継基板７２とが互いに電気的に接続される態様で本発明を実施することが可能である。
【００８６】
この態様においては、例えば、ドラム４２と同軸に貫通穴を、そこを通過すべき電気的接続線の太さより少し大きい直径を有するように配置し、そのように配置された貫通穴内に電気的接続線を挿通させて保持させるようにすることが可能である。
【００８７】
この電気的接続線をフィルム基板として構成する場合には、このフィルム基板のうち上記貫通穴を通過する部分の複数本の配線を互いに接近させてフィルム基板の幅寸法を狭くすることが望ましい。このようにすれば、貫通穴の大きさをフィルム基板の幅寸法の割に小さくすることが可能になり、さらに、複数本の配線を互いに接近させない場合とは異なり、全配線をすべて回転軸線に略一致させることが可能になる。さらに、フィルム基板が幅狭である場合には、幅広である場合より、フィルム基板のねじれ剛性が低下してねじれ易くなり、ドラム４２の回転に伴うフィルム基板のねじれに対する耐久性を向上させることが容易となる。この場合には、その貫通穴が前記（１）項における「引出位置規定部」の一例を構成することになる。
【００８８】
さらに付言するに、本実施形態においては、同じドラム４２に入賞部５０と抽選結果表示部５２とがそのドラム４２の回転軸線まわりに並んで配置されているが、例えば、同じドラム４２に複数個の入賞部５０がドラム４２の回転軸線まわりに並んで配置される態様で本発明を実施したり、同じドラム４２に複数個の抽選結果表示部５２（例えば、ＬＣＤパネル５６と、入賞した遊技球を機械的に振り分けることによって「大当たり」に当選したか否かを決める振分け装置とを含む。）がドラム４２の回転軸線まわりに並んで配置される態様で本発明を実施することが可能である。
【００８９】
さらに付言するに、ドラム４２の回転は、１回転を超えないように行うことには限定されず、電気的接続線に過度なねじれが発生しない範囲であれば、例えば、２回転してもよい。
【００９０】
さらに付言するに、接続相手部品は中継基板に限定されず、制御基板でもよい。さらに、接続相手部品は、このパチンコ機のうちユニットカバー６２以外の適宜箇所に配置してもよい。
【００９１】
さらに付言するに、入賞部５０および抽選結果表示部５２は、ドラム４２の周面に並んで配置されているが、ドラム４２の端面に並んで配置してもよい。
【００９２】
以上、本発明の実施の形態の一つを図面に基づいて詳細に説明したが、これは例示であり、前記［発明の開示］の欄に記載の態様を始めとして、当業者の知識に基づいて種々の変形、改良を施した他の形態で本発明を実施することが可能である。
【図面の簡単な説明】
【００９３】
【図１】本発明の一実施形態に従うパチンコ機をそれの遊技盤１０上の窓部２８に抽選結果表示部５２が出現している状態で示す正面図である。
【図２】図１における遊技盤１０とその遊技盤１０に装着されたドラムユニット４０とを示す分解斜視図である。
【図３】図２におけるドラムユニット４０を示す側面断面図である。
【図４】図２におけるドラムユニット４０のうちのドラム４２から引き出される外側電気的接続線１６６のレイアウトをそのドラム４２内に配置された内側電気的接続線１６０，１６２，１６４のレイアウトと共に説明するための正面断面図である。
【符号の説明】
【００９４】
４２  ドラム
５０  入賞部
５２  抽選結果表示部
７２  ユニットカバー中継基板
１６０，１６２，１６４  内側電気的接続線
１６６  外側電気的接続線
１７４  ドラム中継基板
１８２  コネクタ
【図１】
2006068344.tif 000003
【図２】
2006068344.tif 000004
【図３】
2006068344.tif 000005
【図４】
2006068344.tif 000006